(57)【特許請求の範囲】
【請求項１】
撮像面に結像された被写体像を電気信号に変換する撮像手段を備えたテレビカメラ本体と、前記撮像面に被写体像を結像する光学系及び該光学系のフォーカスを自動調整するオートフォーカス機能を備えたレンズ装置と、テレビカメラ本体から出力される映像信号を表示するモニタとを備えたテレビカメラシステムであって、前記レンズ装置での判断に基づき前記レンズ装置のオートフォーカス機能により得られたピント情報を前記テレビカメラ本体を介して前記モニタに表示することが可能なテレビカメラシステムにおいて、
前記ピント情報を前記モニタに表示するか否かを指示する表示指示手段を備えたコントローラが前記レンズ装置に接続された場合に、前記レンズ装置は、前記表示指示手段の指示に従って前記ピント情報を前記モニタに表示させるか否かを判断し、
前記表示指示手段を備えたコントローラが前記レンズ装置に接続されていない場合には、前記レンズ装置は、前記ピント情報を前記モニタに表示させると判断することを特徴とするテレビカメラシステム。
【請求項２】
撮像面に結像された被写体像を電気信号に変換する撮像手段を備えたテレビカメラ本体と、前記撮像面に被写体像を結像する光学系及び該光学系のフォーカスを自動調整するオートフォーカス機能を備えたレンズ装置と、テレビカメラ本体から出力される映像信号を表示するモニタとを備えたテレビカメラシステムであって、前記レンズ装置での判断に基づき前記レンズ装置のオートフォーカス機能により得られたピント情報を前記テレビカメラ本体を介して前記モニタに表示することが可能なテレビカメラシステムにおいて、
前記レンズ装置又はテレビカメラ本体に前記ピント情報の前記モニタに表示するか否かを指示する表示指示手段が設けられ、
前記ピント情報を前記モニタに表示するか否かを指示する表示指示手段を備えたコントローラが前記レンズ装置に接続された場合に、前記レンズ装置は、前記表示指示手段の指示に従って前記ピント情報を前記モニタに表示させるか否かを判断し、
前記表示指示手段を備えたコントローラが前記レンズ装置に接続されていない場合には、前記レンズ装置又はテレビカメラ本体に設けられた前記表示指示手段の指示に従って前記ピント情報を前記モニタに表示させるか否かを判断することを特徴とするテレビカメラシステム。
【請求項３】
前記ピント情報は、前記光学系のフォーカスのピント状態の情報と、前記オートフォーカス機能においてピントを合わせる被写体の範囲を示すＡＦエリアの情報のうち、少なくとも一方の情報を含むことを特徴とする請求項１又は２のテレビカメラシステム。
【発明の詳細な説明】
【技術分野】
【０００１】
本発明はテレビカメラシステムに係り、特にテレビカメラ本体（カメラ装置）と、カメラ本体に装着されるテレビレンズ（レンズ装置）とを備えたテレビカメラシステムにおいて、レンズ装置がオートフォーカス機能を備え、オートフォーカス機能により得たピント情報をカメラ本体のビューファインダに表示する機能を備えたテレビカメラシステムに関する。
【背景技術】
【０００２】
放送用又は業務用のテレビカメラでは一般にカメラ本体に対して撮影光学系（撮影レンズ）を備えたレンズ装置がマウントにより着脱可能に装着されるようになっている。従来、このようなテレビカメラにおいて、自動焦点調整を行うためのオートフォーカス（ＡＦ）機能を搭載したレンズ装置が知られている。例えば、被写体を撮影した映像の映像信号をカメラ本体からレンズ装置に取り込み、その映像信号に基づいて周知のコントラスト方式のＡＦ処理によって撮影光学系のフォーカスを合焦状態となるように制御するものが知られている。
【０００３】
ところで、カメラ本体には、現在撮影されているリアルタイムの映像を表示するモニタ（ビューファインダ）が設置されている。レンズ装置にＡＦ機能が搭載されている場合には、レンズ装置に接続されたコントローラ（フォーカス用コントローラ等）からの指示により、そのＡＦ機能により得られる現在のピント状態（前ピン、後ピン、合焦）に関する情報や、ＡＦ機能において使用されるＡＦエリアの範囲に関する情報をカメラ本体に出力し、カメラ本体内での処理により、それらの情報を被写体の映像に重畳させてビューファインダに表示させることができるようになっている（例えば、特許文献１参照）。尚、ピント状態に関する情報やＡＦエリアの範囲に関する情報のようにピントに関連する情報を本明細書ではピント情報と称することにする。
【特許文献１】特開２００２−３６５７１０号公報
【発明の開示】
【発明が解決しようとする課題】
【０００４】
従来、上記のようにレンズ装置に搭載されたＡＦ機能により得られるピント情報をビューファインダに表示させるか否かは、レンズ装置に接続された所定のコントローラ（フォーカス用のコントローラ等）に設けられたＶＦ表示指示手段（ＶＦ表示指示スイッチ）をユーザが操作し、そのＶＦ表示指示手段の設定状態に従ってレンズ装置が判断するようになっている。しかしながら、コントローラにはＶＦ表示指示手段を備えていないものがあり、その場合、ＶＦ表示指示手段の設定状態を示す信号がレンズ装置に与えられず、レンズ装置では、ピント情報をビューファインダに表示させないものと判断されるようになっていた。そのため、ＶＦ表示指示手段を備えたコントローラを使用しない場合にはピント情報がビューファインダに表示されず、ピント情報を把握したい場合であっても把握できないという問題があった。
【０００５】
本発明はこのような事情に鑑みてなされたもので、ＶＦ表示指示手段を備えたコントローラをレンズ装置に接続しない場合であっても、レンズ装置のＡＦ機能により取得されるピント情報をビューファインダ（モニタ）に表示させることができるテレビカメラシステムを提供することを目的とする。
【課題を解決するための手段】
【０００６】
前記目的を達成するために、請求項１に記載のテレビカメラシステムは、撮像面に結像された被写体像を電気信号に変換する撮像手段を備えたテレビカメラ本体と、前記撮像面に被写体像を結像する光学系及び該光学系のフォーカスを自動調整するオートフォーカス機能を備えたレンズ装置と、テレビカメラ本体から出力される映像信号を表示するモニタとを備えたテレビカメラシステムであって、前記レンズ装置での判断に基づき前記レンズ装置のオートフォーカス機能により得られたピント情報を前記テレビカメラ本体を介して前記モニタに表示することが可能なテレビカメラシステムにおいて、前記ピント情報を前記モニタに表示するか否かを指示する表示指示手段を備えたコントローラが前記レンズ装置に接続された場合に、前記レンズ装置は、前記表示指示手段の指示に従って前記ピント情報を前記モニタに表示させるか否かを判断し、前記表示指示手段を備えたコントローラが前記レンズ装置に接続されていない場合には、前記レンズ装置は、前記ピント情報を前記モニタに表示させると判断することを特徴としている。
【０００７】
本発明によれば、ピント情報をモニタに表示するか否かを指示する表示指示手段を備えたコントローラがレンズ装置に接続されていない場合であっても、ピント情報がモニタに表示されるようになる。
【０００８】
請求項２に記載のテレビカメラシステムは、撮像面に結像された被写体像を電気信号に変換する撮像手段を備えたテレビカメラ本体と、前記撮像面に被写体像を結像する光学系及び該光学系のフォーカスを自動調整するオートフォーカス機能を備えたレンズ装置と、テレビカメラ本体から出力される映像信号を表示するモニタとを備えたテレビカメラシステムであって、前記レンズ装置での判断に基づき前記レンズ装置のオートフォーカス機能により得られたピント情報を前記テレビカメラ本体を介して前記モニタに表示することが可能なテレビカメラシステムにおいて、前記レンズ装置又はテレビカメラ本体に前記ピント情報の前記モニタに表示するか否かを指示する表示指示手段が設けられ、前記ピント情報を前記モニタに表示するか否かを指示する表示指示手段を備えたコントローラが前記レンズ装置に接続された場合に、前記レンズ装置は、前記表示指示手段の指示に従って前記ピント情報を前記モニタに表示させるか否かを判断し、前記表示指示手段を備えたコントローラが前記レンズ装置に接続されていない場合には、前記レンズ装置又はテレビカメラ本体に設けられた前記表示指示手段の指示に従って前記ピント情報を前記モニタに表示させるか否かを判断することを特徴としている。
【０００９】
本発明によれば、ピント情報をモニタに表示するか否かを指示する表示指示手段を備えたコントローラがレンズ装置に接続されていない場合であっても、レンズ装置又はテレビカメラ本体に設けられた表示指示手段によってピント情報をモニタに表示するか否かをユーザが適宜選択することができる。また、表示指示手段を備えたコントローラがレンズ装置に接続されている場合には、そのコントローラの表示指示手段での設定が優先されて、これに基づいてピント状態をモニタに表示するか否かが判断される。
【００１０】
請求項３に記載のテレビカメラシステムは、請求項１又は２に記載の発明において、前記ピント情報は、前記光学系のフォーカスのピント状態の情報と、前記オートフォーカス機能においてピントを合わせる被写体の範囲を示すＡＦエリアの情報のうち、少なくとも一方の情報を含むことを特徴としている。
【００１１】
本発明は、モニタに表示するピント情報の具体的情報内容を限定したものである。
【発明の効果】
【００１２】
本発明に係るテレビカメラシステムによれば、ＶＦ表示指示手段を備えたコントローラをレンズ装置に接続しない場合であっても、レンズ装置のＡＦ機能により取得されるピント情報をビューファインダ（モニタ）に表示させることができるようになる。
【発明を実施するための最良の形態】
【００１３】
以下、添付図面に従って本発明に係るテレビカメラシステムを実施するための最良の形態について詳説する。
【００１４】
図１は、本発明が適用される放送用又は業務用のテレビカメラシステムの構成を示したブロック図である。同図におけるテレビカメラシステムは、主にテレビカメラ本体１０（以下、カメラ本体１０）とレンズ装置１２と、ビューファインダ（モニタ）１６から構成されており、カメラ本体１０にレンズ装置１２が着脱可能に装着されるようになっている。
【００１５】
カメラ本体１０には、レンズ装置１２の光学系により結像された被写体像を電気信号に変換する撮像素子（図示せず）や、撮像素子により得られた被写体像の電気信号に所要の処理を施し、所定形式の映像信号に変換する信号処理回路（図示せず）や、全体を統括的に制御するＣＰＵ等を含むカメラ回路１４が搭載されている。
【００１６】
また、カメラ本体１０には、カメラ本体１０の撮像素子により現在撮影されている被写体のリアルタイムの映像を表示するビューファインダ１６（モニタ）が設置されており、撮像素子により撮像された画像から生成された映像信号がカメラ回路１４からビューファインダ１６に出力されるようになっている。また、ビューファインダ１６には、後述のピント情報なども例えば被写体の映像に重ねて表示されるようになっている。尚、被写体の映像とピント情報の画像を重畳させた映像をビューファインダ１６に表示させる際には、その映像の映像信号はカメラ本体１０のカメラ回路１４で生成される。
【００１７】
レンズ装置１２は、被写体像を結像するための光学系と、その光学系の制御などを行う制御系とを備えており、光学系の構成要素として、鏡胴内に配置された、例えば同図に示すようにフォーカス調整用（焦点調整用）の可動のフォーカスレンズ群ＦＬ、ズーム調整用（焦点距離調整用）の可動のズームレンズ群ＺＬ、明るさ調整用の可動のアイリスＩを備えている。また、同図には示されていない固定のレンズ群も備えている。
【００１８】
一方、制御系は、光学系のフォーカスレンズ群ＦＬ、ズームレンズ群ＺＬ、アイリスＩの各々を、これらに連結されたモータＦＭ、ＺＭ、ＩＭによって駆動し制御するための構成要素を備えている。詳細は省略するが、レンズ装置１２全体を統括的に制御するレンズ制御用ＣＰＵ２０と、フォーカスレンズ群ＦＬ、ズームレンズ群ＺＬ、アイリスＩの各々に位置や移動速度に関してレンズ制御用ＣＰＵ２０から出力された制御信号をデジタル信号からアナログ信号に変換するＤ／Ａ変換器２２と、Ｄ／Ａ変換器２２によりアナログ信号に変換された制御信号に従って各モータを駆動するアンプＦＡ、ＺＡ、ＩＡと、フォーカスレンズ群ＦＬ、ズームレンズ群ＺＬ、アイリスＩの各々の現在位置を検出する位置センサＦＰ、ＺＰ、ＩＰと、各位置センサＦＰ、ＺＰ、ＩＰからの出力信号をアナログ信号からデジタル信号に変換するＡ／Ｄ変換器２４、レンズ制御用ＣＰＵ２０が参照するプログラムデータ等が記録されたＲＯＭ２６等を備えている。これらの制御系の構成要素により、レンズ制御用ＣＰＵ２０において目標位置又は目標移動速度として設定された位置又は移動速度でフォーカスレンズ群ＦＬ、ズームレンズ群ＺＬ、アイリスＩが駆動制御されるようになっている。
【００１９】
また、レンズ装置１２には、フォーカスデマンド３０やズームデマンド３２等のコントローラが例えばケーブル等により接続されている。フォーカスデマンド３０にはフォーカス操作用のマニュアルのフォーカス操作部材が設けられており、そのフォーカス操作部材の操作に従ってフォーカス（フォーカスレンズ群ＦＬ）の目標位置又は目標移動速度を示すフォーカス指令信号がフォーカスデマンド３０から出力される。その指令信号がＡ／Ｄ変換器２４によりアナログ信号からデジタル信号に変換され、レンズ制御用ＣＰＵ２０に与えられる。
【００２０】
ズームデマンド３２にはズーム操作用のマニュアルのズーム操作部材が設けられており、そのズーム操作部材の操作に従ってズーム（ズームレンズ群ＺＬ）の目標位置又は目標移動速度を示すズーム指令信号がズームデマンド３２から出力される。その指令信号がＡ／Ｄ変換器２４によりアナログ信号からデジタル信号に変換され、レンズ制御用ＣＰＵ２０に与えられる。
【００２１】
レンズ制御用ＣＰＵ２０では、フォーカスデマンド３０やズームデマンド３２から与えられるそれらの指令信号に従ってフォーカスレンズ群ＦＬ及びズームレンズ群ＺＬの目標位置又は目標移動速度を設定し、それらの目標位置又は目標移動速度となるようにフォーカスレンズ群ＦＬ及びズームレンズ群ＺＬの制御を行う。尚、アイリスＩは、カメラ本体１０から与えられるアイリス指令信号に従って制御される。
【００２２】
更に、レンズ装置１２には、光学系が合焦状態となるように光学系のフォーカス（フォーカスレンズ群ＦＬ）を自動で駆動するオートフォーカス（ＡＦ）機能が搭載されており、そのためのＡＦ処理部４０が設けられている。ＡＦ処理部４０には、カメラ本体１０の撮像素子により撮影されている映像又はこれと同等の映像の映像信号（輝度信号）が与えられており、ＡＦ処理部４０は、その映像信号に基づき、各フィールド画像ごとにＡＦエリア内における画像のコントラストの高さを示す焦点評価値を求め、その焦点評価値をレンズ制御用ＣＰＵ２０に出力するようになっている。
【００２３】
ここで、ＡＦエリアは、ピントを合わせる被写体の範囲を示し、一般的には画面中央部分の四角形状の範囲として設定される。フォーカスデマンド３０又は他のコントローラの所定の操作部材によりＡＦエリアの範囲（位置や大きさ等）を変更することも可能である。
【００２４】
また、焦点評価値は、例えば、各フィールド画像からＡＦエリア内の画像を抽出し、ＡＦエリア内の画像信号の高域周波数成分をハイパスフィルターで抽出して積算することによって求められる。
【００２５】
更に、ＡＦ処理部４０に与える映像信号は、例えば、カメラ本体１０の撮像素子により撮影されて生成されたリアルタイムの被写体の映像の映像信号をカメラ本体１０から取り込んだものであってもよいし、カメラ本体１０の撮像素子（映像用撮像素子と称す）とは別にＡＦ用の撮像素子（ＡＦ用撮像素子）を設け、映像用撮像素子の映像と同等の映像をＡＦ用撮像素子で撮影して取得される映像信号であってもよい。
【００２６】
ＡＦ用撮像素子をレンズ装置１２に設ける場合には、例えば次のように構成される。レンズ装置１２の光学系の後段（フォーカスレンズ群ＦＬやズームレンズ群ＺＬの後段）においてハーフミラー等の光分割手段が配置される。これによって、カメラ本体１０の映像用撮像素子に入射する被写体光からＡＦ用の被写体光が分岐される。そして、そのＡＦ用の被写体光によりＡＦ用撮像素子の撮像面に結像される被写体像が、映像用撮像素子の撮像面に結像される被写体像と同等（ピント状態や画角が同等）となる位置にＡＦ用撮像素子の撮像面が配置される。これによって、映像用撮像素子の映像と同等の映像の映像信号がＡＦ用撮像素子により得られる。
【００２７】
一方、レンズ制御用ＣＰＵ２０は、フォーカス操作部材を用いたマニュアルフォーカス（ＭＦ）の制御ではなく、オートフォーカス（ＡＦ）の制御を行う指示が、例えばフォーカスデマンド３０の所定のスイッチ（ＡＦスイッチ）によって与えられた場合には、ＡＦ処理部４０から与えられる焦点評価値に基づいてフォーカスレンズ群ＦＬを駆動し、焦点評価値が最大となる合焦位置にフォーカスレンズ群ＦＬを移動させる。このときの制御方法として、例えば、山登り方式が採用される。この方式では、フォーカスレンズ群ＦＬを現在位置に対して無限遠側と至近側とに微少量往復駆動（ワブリング）させ、各移動点での焦点評価値をＡＦ処理部４０から取得する。そして、このとき得られた複数点での焦点評価値の大小関係により焦点評価値が増大する方向を検出し、又は、現在位置が合焦位置か否かを検出する。即ち、現在位置が前ピン、後ピン、合焦のいずれのピント状態かを検出する。これによって、合焦状態でない場合には、合焦となる方向にフォーカスレンズ群ＦＬを駆動すると共に、上記ワブリングを適宜行うことで、合焦状態となった位置を検出し、その位置にフォーカスレンズ群ＦＬを停止させる。
【００２８】
以上のように構成されたカメラ本体１０とレンズ装置１２とは、双方に設けられたコネクタが直接又はケーブルを介して接続され、電気的に接続されるようになっている。これにより、カメラ本体１０のカメラ回路１４と、レンズ装置１２のレンズ制御用ＣＰＵ２０との間で各種情報のやり取りを行えるようになっている。
【００２９】
上記のようにレンズ装置１２のＡＦ機能により得られるピント状態の情報やＡＦエリアの情報（これらの情報をピント情報という）は、レンズ装置１２のレンズ制御用ＣＰＵ２０からカメラ本体１０のカメラ回路１４に送信されると、それらの情報を表示するための画像を、被写体の映像に重畳させた映像信号を生成し、ビューファインダ１６に出力、表示されるようになっている。
【００３０】
例えば、図２に示すように、ビューファインダ１６の画面上には被写体の映像（省略）に重ねて、レンズ装置１２のＡＦ処理部４０で設定されているＡＦエリアの範囲に対応する位置、大きさのＡＦ枠６０が表示される。また、現在のピント状態を表示するためにピント状態表示位置６２に、前ピンの状態では「＋」、後ピンの状態では「−」、合焦状態では「０」の記号が表示される。尚、これらのピント情報のビューファインダ１６での表示形態は、ここで示した以外の形態であってもよい。
【００３１】
このようなピント情報のビューファインダ１６への表示を行うか否かの判断はレンズ装置１２のレンズ制御用ＣＰＵ２０によって行われる。その際、例えばピント情報のビューファインダ１６への表示のオン／オフを指示するためのビューファインダ（ＶＦ）表示指示手段（ＶＦ表示指示スイッチ）を有するコントローラがレンズ装置１２に接続されていれば、そのＶＦ表示指示手段を用いたユーザの指定に従ってピント情報の表示を行うか否かの判断が行われるようになっている。即ち、レンズ制御用ＣＰＵ２０は、ＶＦ表示指示手段の設定状態を読み込み、その設定状態に基づいて上記判断を行う。
【００３２】
ここで、ＶＦ表示指示手段は、フォーカスデマンド３０やズームデマンド３２に設けてもよいし、その他の任意のコントローラ（専用のコントローラも含む）に設けてもよいし、その他のコントローラであってもよい。
【００３３】
一方、ＶＦ表示指示手段を有するコントローラがレンズ装置１２に接続されていない場合におけるピント情報のビューファインダ１６への表示に関する態様として、下記で説明する第１の実施の形態と、第２の実施の形態とが考えられる。  第１の実施の形態では、ＶＦ表示指示手段を有するコントローラがレンズ装置１２に接続されていない場合には、レンズ制御用ＣＰＵ２０によりピント情報のビューファインダ１６への表示を行うものと判断され、ピント情報のビューファインダ１６への表示が行われる。詳細な処理については後述する。
【００３４】
第２の実施の形態では、レンズ装置１２、又は、カメラ本体１０にＶＦ表示指示手段（ＶＦ表示指示スイッチ）が設けられ、ＶＦ表示指示手段を有するコントローラがレンズ装置１２に接続されていない場合には、レンズ制御用ＣＰＵ２０におけるピント情報のビューファインダへの表示を行うか否かの判断が、レンズ装置１２、又は、カメラ本体１０に設けられたＶＦ表示指示手段によるユーザの指定に基づいて行われるようになっている。詳細な処理については後述する。
【００３５】
まず、レンズ装置１２のレンズ制御用ＣＰＵ２０においてピント情報のビューファインダへの表示をオン／オフする処理（ＶＦピント情報表示指示処理）について上記第１の実施の形態を採用した場合を図３のフローチャートを用いて説明する。
【００３６】
レンズ制御用ＣＰＵ２０は、まず、ＡＦ機能において得られるピント状態やＡＦエリアの情報（ピント情報）を取得する（ステップＳ１０）。続いて、レンズ装置１２にコントローラが接続されているか否かを確認する処理を行い（ステップＳ１２）、コントローラが接続されているか否かを判定する（ステップＳ１４）。尚、レンズ装置１２に複数のコントローラが接続される場合があるが、ここでは少なくとも１つのコントローラが接続されていれば、ＹＥＳと判定される。
【００３７】
ステップＳ１４においてＹＥＳと判定した場合には、次に、そのコントローラがＶＦ表示指示手段を有しているか否かを確認する処理を行い（ステップＳ１６）、そのコントローラがＶＦ表示指示手段を有しているか否かを判定する（ステップＳ１８）。レンズ装置１２に複数のコントローラが接続されている場合にＶＦ表示指示手段を備えたコントローラが１つでもあればステップＳ１８においてＹＥＳと判定され、ＶＦ表示指示手段を備えたコントローラが１つもなければ、ステップＳ１８においてＮＯと判定される。
【００３８】
ステップＳ１８においてＹＥＳと判定した場合には、次にコントローラのＶＦ表示指示手段（ＶＦ表示指示スイッチ）の設定状態を読み込み（ステップＳ２０）、ピント情報のビューファインダへの表示をオンにする設定状態となっているか否かを判定する（ステップＳ２２）。
【００３９】
ステップＳ２２においてＹＥＳと判定した場合には、ピント情報をカメラ本体１０のカメラ回路１４に送信すると共に、そのピント情報をビューファインダ１６に表示させることを指示するコマンドを送信する（ステップＳ２４）。これにより、カメラ本体１０内の処理により被写体の映像にピント情報（ピント情報を表示するための画像）が重畳されて、その重畳された映像がビューファインダ１６に表示される。
【００４０】
ステップＳ２２においてＮＯと判定した場合には、ピント情報をビューファインダ１６に表示させないことを指示するコマンドを送信する（ステップＳ２６）。尚、このときピント情報をカメラ本体１０のカメラ回路１４に送信しないことによってピント情報をビューファインダ１６に表示させないようにしてもよい。
【００４１】
以上のステップＳ２４、又は、ステップＳ２６の処理が終了すると、ステップＳ１０の処理に戻る。
【００４２】
一方、ステップＳ１４においてＮＯ、即ち、コントローラが接続されていないと判定した場合、又は、ステップＳ１８においてＮＯ、即ち、コントローラがＶＦ表示指示手段を有していないと判定した場合には、ステップＳ２４の処理に移行し、ピント情報をカメラ本体１０のカメラ回路１４に送信すると共に、そのピント情報をビューファインダに表示させることを指示するコマンドを送信する（ステップＳ２４）。これにより、カメラ本体１０内の処理により被写体の映像にピント情報（ピント情報を表示するための画像）が重畳されて、その重畳された映像がビューファインダ１６に表示される。
【００４３】
この第１の実施の形態によれば、ＶＦ表示指示手段を備えたコントローラがレンズ装置１２に接続されていない場合には、自動的にピント情報のビューファインダ１６への表示が行われるようになる。
【００４４】
次に、レンズ装置１２のレンズ制御用ＣＰＵ２０においてピント情報のビューファインダへの表示をオン／オフする処理（ＶＦピント情報表示指示処理）について上記第２の実施の形態を採用した場合を図４のフローチャートを用いて説明する。尚、図３と同一又は類似の処理ブロックには図３と同一符号を付し、以下の説明では主に図３と相違する処理部分について説明する。
【００４５】
本第２の実施の形態ではレンズ装置１２にＶＦ表示指示手段（図１におけるＶＦ表示指示スイッチ５０）が設けられているものとする。ステップＳ１４においてＮＯ、即ち、コントローラが接続されていないと判定した場合、又は、ステップＳ１８においてＮＯ、即ち、コントローラがＶＦ表示指示手段を有していないと判定した場合には、レンズ装置１２に設けられたＶＦ表示指示手段（ＶＦ表示指示スイッチ５０）の設定状態を読み込む（ステップＳ３０）。そして、第１の実施の形態とは異なり、ステップＳ２２に移行し、そのレンズ装置１２に設けられたＶＦ表示指示手段（ＶＦ表示指示スイッチ５０）がピント情報のビューファインダへの表示をオンにする設定状態となっているか否かを判定する（ステップＳ２２）。
【００４６】
ステップＳ２２においてＹＥＳと判定した場合には、ピント情報をカメラ本体１０のカメラ回路１４に送信すると共に、そのピント情報をビューファインダに表示させることを指示するコマンドを送信する（ステップＳ２４）。これにより、カメラ本体１０内の処理により被写体の映像にピント情報（ピント情報を表示するための画像）が重畳されて、その重畳された映像がビューファインダ１６に表示される。
【００４７】
ステップＳ２２においてＮＯと判定した場合には、ピント情報をビューファインダに表示させないことを指示するコマンドを送信する（ステップＳ２６）。
【００４８】
以上の第２の実施の形態によれば、ＶＦ表示指示手段を備えたコントローラがレンズ装置１２に接続されている場合には、そのコントローラのＶＦ表示指示手段に従ってピント情報のビューファインダへの表示を行うか否かが判断され、ＶＦ表示指示手段を備えたコントローラがレンズ装置１２に接続されていない場合、即ち、コントローラがレンズ装置１２に接続されていないか、又は、接続されているコントローラがＶＦ表示指示手段を有していない場合には、レンズ装置１２に設けられたＶＦ表示指示手段に従ってピント情報のビューファインダ１６への表示を行うか否かが判断される。
【００４９】
尚、第２の実施の形態において、レンズ装置１２にＶＦ表示指示手段を設けるのではなくカメラ本体１０にＶＦ表示指示手段（図１のＶＦ表示指示スイッチ５２）を設けることも可能であり、その場合、上記フローチャートのステップＳ３０においてレンズ装置１２のＶＦ表示指示手段の設定状態を読み込む代わりに、カメラ本体１０のＶＦ表示指示手段（ＶＦ表示指示スイッチ５２）の設定状態を読み込むようにすればよい。
【００５０】
以上、上記実施の形態において、レンズ装置１２に搭載されるＡＦ機能がどのような方式であっても本発明が適用できる。例えば、光路長差方式のＡＦや位相差方式のＡＦ等であっても適用できる。光路長差方式のＡＦでは、レンズ装置１２において、カメラ本体１０の撮像素子に被写体像を結像させる光学系に光分割手段が配置され、ＡＦ用被写体光が分岐される。そして、カメラ本体１０の撮像素子の撮像面に結像される被写体像と同等（同等の画角、ピント状態）の被写体像がＡＦ用被写体光によって結像される位置の近傍に光路長差を有する複数のＡＦ用撮像素子が配置される。これらの複数のＡＦ用撮像素子によって撮像された被写体画像のコントラストの高さを比較することによって、ピント状態が検出され、そのピント状態に基づいて光学系のフォーカスが合焦状態となるように制御される。
【図面の簡単な説明】
【００５１】
【図１】図１は、本発明が適用されるテレビカメラシステムの構成を示した外観側面図である。
【図２】図２は、ビューファインダに表示されるピント情報の表示態様を例示した図である。
【図３】図３は、レンズ装置のレンズ制御用ＣＰＵにおいてピント情報のビューファインダへの表示をオン／オフする処理について第１の実施の形態を採用した場合を示したフローチャートである。
【図４】図４は、レンズ装置のレンズ制御用ＣＰＵにおいてピント情報のビューファインダへの表示をオン／オフする処理について第２の実施の形態を採用した場合を示したフローチャートである。
【符号の説明】
【００５２】
１０…カメラ本体、１２…レンズ装置、１６…ビューファインダ（モニタ）、２０…レンズ制御用ＣＰＵ、４０…ＡＦ処理部、５０，５２…ＶＦ表示指示スイッチ、６０…ＡＦ枠、６２…ＦＬ…フォーカスレンズ群、ＺＬ…ズームレンズ群
【図１】
0004834009.tif 000002
【図２】
0004834009.tif 000003
【図３】
0004834009.tif 000004
【図４】
0004834009.tif 000005